【手続補正書】
【提出日】平成17年7月8日(2005.7.8)
【手続補正１】
【補正対象書類名】特許請求の範囲
【補正対象項目名】全文
【補正方法】変更
【補正の内容】
【特許請求の範囲】
【請求項１】
表現されるイメージの表示のためにデジタルイメージデータを調整する装置において、
合わさってイメージを形成する多数のピクセルを規定するデジタルイメージデータを記憶する記憶装置と、
複数の異なるイメージ表示フォーマットのそれぞれに対する１セットのパラメータを規定するフォーマットデータテーブルと、
記憶装置からデジタルイメージデータを読み取り、選択されたイメージ表示フォーマットに対する１セットのパラメータに依存してイメージデータをフォーマットし、選択されたイメージ表示フォーマットで表現されるイメージの表示のためにフォーマットされたイメージデータを出力するイメージデータプロセッサとを具備する装置。
【請求項２】
記憶装置は複数のイメージフレームのためのデジタルイメージデータを記憶するように構成され、複数のイメージフレームは合わさって動イメージの少なくとも一部を形成する請求項１記載の装置。
【請求項３】
フォーマットデータテーブルにはプログレッシブ走査フォーマットに対応する１セットのパラメータが含まれ、記憶装置は表示順にプロセッサに対してデータのフレームを出力するように構成されている請求項２記載の装置。
【請求項４】
イメージデータプロセッサは、デジタルイメージデータが記憶されているフォーマットとは異なるフォーマットで、フォーマットされたイメージデータを出力することができる請求項３記載の装置。
【請求項５】
フォーマットデータテーブルにはインターリーブされた走査フォーマットに対応する１セットのパラメータが含まれ、記憶装置はインターリーブされたフィールド順序でプロセッサに対してデータのフレームを出力するように構成されている請求項２記載の装置。
【請求項６】
記憶装置は静止イメージを規定するデジタルイメージデータを記憶するように構成され、記憶装置は時間期間にわたる静止イメージの連続的表示のためにプロセッサに対してデータのフレームを出力するように構成されている請求項１記載の装置。
【請求項７】
フォーマットデータテーブルはソフトウェアにより生成され、それにより必要に応じてパラメータが追加、変更および更新できる請求項１記載の装置。
【請求項８】
イメージデータプロセッサはビデオフォーマット状態マシーンを備える請求項１記載の装置。
【請求項９】
状態マシーンには帰線消去間隔に対応した制御信号が発生される状態が含まれる請求項８記載の装置。
【請求項１０】
帰線消去間隔は水平帰線消去間隔に対応する請求項９記載の装置。
【請求項１１】
帰線消去間隔は垂直帰線消去間隔に対応する請求項９記載の装置。
【請求項１２】
状態マシーンには帰線消去ピクセルが発生される状態が含まれる請求項８記載の装置。
【請求項１３】
記憶装置と状態マシーンとの間にバッファをさらに具備する請求項１記載の装置。
【請求項１４】
バッファは先入れ先出しレジスタを備える請求項１３記載の装置。
【請求項１５】
フォーマットされたイメージデータにより表現されるイメージを表示するためのプロジェクターをさらに具備する請求項１記載の装置。
【請求項１６】
表現されるイメージの表示のためにデジタルイメージデータを調整する方法において、
合わさってイメージを形成する多数のピクセルを規定するデジタルイメージデータを記憶し、
複数の異なるイメージ表示フォーマットのそれぞれに対する１セットのパラメータを規定し、
選択されたイメージ表示フォーマットに対する１セットのパラメータに依存してイメージデータをフォーマットし、
選択されたイメージ表示フォーマットで表現されるイメージの表示のためにフォーマットされたイメージデータを出力することを含む方法。
【請求項１７】
複数のイメージフレームのためのデジタルイメージデータを記憶することをさらに含み、複数のイメージフレームは合わさって動イメージの少なくとも一部を形成する請求項１６記載の方法。
【請求項１８】
１セットのパラメータにはプログレッシブ走査フォーマットに対応する１セットのパラメータが含まれ、方法は表示順にフォーマットするためにデータのフレームを供給することをさらに含む請求項１７記載の方法。
【請求項１９】
表示のためにフォーマットされたイメージデータを出力することは、デジタルイメージデータが表示されているフォーマットとは異なるフォーマットでされる請求項１８記載の方法。
【請求項２０】
１セットのパラメータにはインターリーブされた走査フォーマットに対応する１セットのパラメータが含まれ、方法はインターリーブされたフィールド順序でフォーマットするために各フレームに対するデータを供給することをさらに含む請求項１７記載の方法。
【請求項２１】
静止イメージを規定するデジタルイメージデータを記憶することと、時間期間にわたる静止イメージの連続的表示用にフォーマットするためにイメージデータを反復して供給することをさらに含む請求項１６記載の方法。
【請求項２２】
１セットのパラメータはソフトウェアにより生成され、それにより必要に応じてパラメータが追加、変更および更新できる請求項１６記載の方法。
【請求項２３】
フォーマットされたイメージデータにより表現されるイメージを表示することをさらに含む請求項１６記載の方法。
【請求項２４】
合わさってイメージを形成する多数のピクセルを規定するイメージデータを受け取る入力デバイスと、
イメージの表示のためにイメージデータが出力されるべきフォーマットを規定するフォーマットデータを記憶するプログラム可能フォーマットデータ記憶装置と、
入力デバイスからイメージデータを受け取り、プログラム可能フォーマットデータ記憶装置中のフォーマットデータに依存して同じものを処理して、フォーマットデータ記憶装置中のフォーマットデータにより規定されるフォーマットに対応する制御データを含むイメージデータを発生させるプロセッサとを具備するイメージデータ処理システム。
【請求項２５】
入力デバイスはバッファを備える請求項２４記載のイメージデータ処理システム。
【請求項２６】
バッファは先入れ先出しレジスタを備える請求項２５記載のイメージデータ処理システム。
【請求項２７】
入力デバイスはデシメートされたフォーマットでイメージデータを受け取るように構成されている請求項２５記載のイメージデータ処理システム。
【請求項２８】
入力デバイスはデシメートされたイメージデータの各成分を受け取る独立したパラレルセクションを備える請求項２７記載のイメージデータ処理システム。
【請求項２９】
プロセッサはビデオフォーマット状態マシーンを備える請求項２４記載のイメージデータ処理システム。
【請求項３０】
状態マシーンには帰線消去間隔に対応する制御信号が発生される状態が含まれる請求項２９記載のイメージデータ処理システム。
【請求項３１】
帰線消去間隔は水平帰線消去間隔に対応する請求項３０記載のイメージデータ処理システム。
【請求項３２】
帰線消去間隔は垂直帰線消去間隔に対応する請求項３０記載のイメージデータ処理システム。
【請求項３３】
状態マシーンには帰線消去ピクセルが発生される状態が含まれる請求項２９記載のイメージデータ処理システム。
【請求項３４】
合わさってイメージを形成する多数のピクセルを規定するイメージデータを受け取り、
イメージの表示のためにイメージデータが出力されるべきフォーマットを規定するフォーマットデータを発生させ、
プログラム可能フォーマットデータ記憶装置中のフォーマットデータに依存して、入力デバイスからのイメージデータを処理して、フォーマットデータ記憶装置中のフォーマットデータにより規定されるフォーマットに対応する制御データを含むイメージデータを発生させることを含むイメージデータ処理の方法。
【請求項３５】
デシメートされたフォーマットでイメージデータを受け取ることをさらに含む請求項３４記載の方法。
【請求項３６】
パラレルにデシメートされたイメージデータの各成分を受け取ることをさらに含む請求項３５記載の方法。
【請求項３７】
帰線消去間隔に対応する制御信号を発生させることをさらに含む請求項３４記載の方法。
【請求項３８】
帰線消去間隔は水平帰線消去間隔に対応する請求項３７記載の方法。
【請求項３９】
帰線消去間隔は垂直帰線消去間隔に対応する請求項３７記載の方法。
【請求項４０】
帰線消去ピクセルを発生させることをさらに含む請求項３４記載の方法。
【請求項４１】
イメージを規定するデータがピクセルデータとして供給され、表示のために出力される前にフォーマットされるビデオ表示システムにおいて、
ピクセルデータを記憶する手段と、
記憶手段から、表示順序でピクセルデータを読み出す手段と、
イメージが表示されるべき表示フォーマットを選択する手段と、
読み出し手段および選択する手段とに結合され、ピクセルデータを処理して、表示するために選択されたフォーマットに対応する制御データを付加することにより表示データを生成する処理手段とを具備するビデオ表示システム。
【請求項４２】
処理手段に結合され、表示データ中の制御データに応答し、表示データにより表現されるイメージを表示する手段をさらに具備する請求項４１記載のビデオ表示システム。
【請求項４３】
表示フォーマットを選択する手段は、処理手段によりピクセルデータに付加されるべき制御データを規定する手段を備える請求項４１記載のビデオ表示システム。
【請求項４４】
表示フォーマットを選択する手段はプログラム可能である請求項４１記載のビデオ表示システム。
【請求項４５】
イメージを規定するデータがピクセルデータとして供給され、表示のために出力される前にフォーマットされるビデオ表示方法において、
ピクセルデータを記憶し、
表示順序で、記憶されたピクセルデータを読み出し、
イメージが表示されるべき表示フォーマットを選択し、
ピクセルデータを処理して、表示するために選択されたフォーマットに対応する制御データを付加することにより表示データを生成することを含むビデオ表示方法。
【請求項４６】
表示データにより表現されるイメージを表示することをさらに含む請求項４５記載のビデオ表示方法。
【請求項４７】
表示フォーマットを選択することは、処理ステップにおいてピクセルデータに付加されるべき制御データを規定することを含む請求項４５記載のビデオ表示方法。